(57)【要約】【課題】早急に水底ケーブルを布設することができる水底ケーブルの布設方法および水底ケーブルの布設構造を提供する。【解決手段】複数の水上施設のうち、ｋを１以上の整数としたときに、第２ｋ−１番目の水上施設および第２ｋ番目の水上施設の間の水底にケーブル布設方向の前後にケーブルの余長を付加しつつケーブルを布設し、第２ｋ番目の水上施設および第２ｋ＋１番目の水上施設の間にケーブルを布設することなく間隔をあけることを、ｋが１から所定数まで順次行う第１布設工程と、第１布設工程で間隔が開けられた第２ｋ番目の水上施設および第２ｋ＋１番目の水上施設の間の水底にケーブル布設方向の前後にケーブルの余長を付加しつつケーブルを布設することを、ｋが１から所定数まで順次行うか、またはｋが所定数から１まで順次行う第２布設工程と、を有する。【選択図】図４
2015133767.tif 000002
【特許請求の範囲】
【請求項１】
複数の水上施設のうち、ｋを１以上の整数としたときに、第２ｋ−１番目の水上施設および第２ｋ番目の水上施設の間の水底にケーブル布設方向の前後にケーブルの余長を付加しつつ前記ケーブルを布設し、前記第２ｋ番目の水上施設および前記第２ｋ＋１番目の水上施設の間に前記ケーブルを布設することなく間隔をあけることを、ｋが１から所定数まで順次行う第１布設工程と、
前記第１布設工程で間隔が開けられた前記第２ｋ番目の水上施設および前記第２ｋ＋１番目の水上施設の間の水底にケーブル布設方向の前後にケーブルの余長を付加しつつケーブルを布設することを、ｋが１から所定数まで順次行うか、またはｋが所定数から１まで順次行う第２布設工程と、
を有する
ことを特徴とする水底ケーブルの布設方法。
【請求項２】
前記第１布設工程では、
鉛直方向から見て前記第２ｋ−１番目の水上施設および前記第２ｋ番目の水上施設から前記ケーブル布設方向に対して垂直な方向にずらした位置に前記ケーブルを布設し、
前記第２布設工程では、
前記第２ｋ番目の水上施設および前記第２ｋ＋１番目の水上施設の前記第１布設工程で布設した前記ケーブルと反対側にずらした位置に前記ケーブルを布設する
ことを特徴とする請求項１に記載の水底ケーブルの布設方法。
【請求項３】
前記第１布設工程および前記第２布設工程における前記余長は、水底から前記ケーブルが前記水上施設に接続される部分までの高さと、鉛直方向から見たときの前記水上施設から前記ケーブルが前記ケーブル布設方向に延在する部分までの距離と、の和以上である
ことを特徴とする請求項２に記載の水底ケーブルの布設方法。
【請求項４】
前記第２ｋ−１番目の水上施設のケーブル布設方向の若番側の端部から前記第２ｋ番目の水上施設の前記ケーブル布設方向の老番側の端部に接続して第１布設ケーブルを形成し、前記第２ｋ番目の水上施設の前記ケーブル布設方向の若番側の端部から前記第２ｋ＋１番目の水上施設の前記ケーブル布設方向の老番側の端部に接続して第２布設ケーブルを形成する立ち上げ工程を有する
ことを特徴とする請求項１〜３のいずれか１項に記載の水底ケーブルの布設方法。
【請求項５】
複数の水上施設のうち、ｋを１以上の整数としたときに、第２ｋ−１番目の水上施設および第２ｋ番目の水上施設の間の水底に、鉛直方向から見て前記第２ｋ−１番目の水上施設および前記第２ｋ番目の水上施設から前記ケーブル布設方向に対して垂直な方向にずらした位置に布設される第１布設ケーブルと、
前記第２ｋ番目の水上施設および前記第２ｋ＋１番目の水上施設の間の水底に布設され、前記第２ｋ番目の水上施設および前記第２ｋ＋１番目の水上施設の前記第１布設ケーブルと反対側にずらした位置に布設される第２布設ケーブルと、
を有する
ことを特徴とする水底ケーブルの布設構造。
【請求項６】
前記第１布設ケーブルは、前記第２ｋ−１番目の水上施設のケーブル布設方向の若番側の端部から前記第２ｋ番目の水上施設の前記ケーブル布設方向の老番側の端部に接続され、
前記第２布設ケーブルは、前記第２ｋ番目の水上施設の前記ケーブル布設方向の若番側の端部から前記第２ｋ＋１番目の水上施設の前記ケーブル布設方向の老番側の端部に接続される
ことを特徴とする請求項５に記載の水底ケーブルの布設構造。
【発明の詳細な説明】
【技術分野】
【０００１】
本発明は、水底ケーブルの布設方法および水底ケーブルの布設構造に関する。
【背景技術】
【０００２】
近年、洋上風力発電は、陸上風力発電よりも安定的かつ効率的に発電することができることから盛んに普及が進められている。
【０００３】
洋上風力発電における風力発電施設などの水上施設から送電するためには、水底（海底）ケーブルが用いられる。水底ケーブルは、布設船によって水上から水底に向けてケーブルを繰り出すことにより布設される。
【０００４】
なお、水底ケーブルの布設方法としては、例えば特許文献１に記載されている。
【先行技術文献】
【特許文献】
【０００５】
【特許文献１】特開平４−１３８００８号公報
【発明の概要】
【発明が解決しようとする課題】
【０００６】
この際、布設船によって水上から水底に向けてケーブルを布設するため、ケーブルは、布設船に吹き付ける風や水中での潮流などによる布設時の天候の影響を受け易い。したがって、天候が安定なうちに、早急に水底ケーブルを布設することが望まれる。
【０００７】
本発明は、早急に水底ケーブルを布設することができる水底ケーブルの布設方法および水底ケーブルの布設構造を提供することである。
【課題を解決するための手段】
【０００８】
本発明の第１の態様によれば、
複数の水上施設のうち、ｋを１以上の整数としたときに、第２ｋ−１番目の水上施設および第２ｋ番目の水上施設の間の水底にケーブル布設方向の前後にケーブルの余長を付加しつつ前記ケーブルを布設し、前記第２ｋ番目の水上施設および前記第２ｋ＋１番目の水上施設の間に前記ケーブルを布設することなく間隔をあけることを、ｋが１から所定数まで順次行う第１布設工程と、
前記第１布設工程で間隔が開けられた前記第２ｋ番目の水上施設および前記第２ｋ＋１番目の水上施設の間の水底にケーブル布設方向の前後にケーブルの余長を付加しつつケーブルを布設することを、ｋが１から所定数まで順次行うか、またはｋが所定数から１まで順次行う第２布設工程と、
を有する
水底ケーブルの布設方法が提供される。
【０００９】
本発明の第２の態様によれば、
前記第１布設工程では、
鉛直方向から見て前記第２ｋ−１番目の水上施設および前記第２ｋ番目の水上施設から前記ケーブル布設方向に対して垂直な方向にずらした位置に前記ケーブルを布設し、
前記第２布設工程では、
前記第２ｋ番目の水上施設および前記第２ｋ＋１番目の水上施設の前記第１布設工程で布設した前記ケーブルと反対側にずらした位置に前記ケーブルを布設する
水底ケーブルの布設方法が提供される。
【００１０】
本発明の第３の態様によれば、
前記第１布設工程および前記第２布設工程における前記余長は、水底から前記ケーブルが前記水上施設に接続される部分までの高さと、鉛直方向から見たときの前記水上施設から前記ケーブルが前記ケーブル布設方向に延在する部分までの距離と、の和以上である
第２の態様に記載の水底ケーブルの布設方法が提供される。
【００１１】
本発明の第４の態様によれば、
前記第２ｋ−１番目の水上施設のケーブル布設方向の若番側の端部から前記第２ｋ番目の水上施設の前記ケーブル布設方向の老番側の端部に接続して第１布設ケーブルを形成し、前記第２ｋ番目の水上施設の前記ケーブル布設方向の若番側の端部から前記第２ｋ＋１番目の水上施設の前記ケーブル布設方向の老番側の端部に接続して第２布設ケーブルを形成する立ち上げ工程を有する
第１〜第３の態様のいずれかに記載の水底ケーブルの布設方法が提供される。
【００１２】
本発明の第５の態様によれば、
複数の水上施設のうち、ｋを１以上の整数としたときに、第２ｋ−１番目の水上施設および第２ｋ番目の水上施設の間の水底に、鉛直方向から見て前記第２ｋ−１番目の水上施設および前記第２ｋ番目の水上施設から前記ケーブル布設方向に対して垂直な方向にずらした位置に布設される第１布設ケーブルと、
前記第２ｋ番目の水上施設および前記第２ｋ＋１番目の水上施設の間の水底に布設され、前記第２ｋ番目の水上施設および前記第２ｋ＋１番目の水上施設の前記第１布設ケーブルと反対側にずらした位置に布設される第２布設ケーブルと、
を有する
水底ケーブルの布設構造が提供される。
【００１３】
本発明の第６の態様によれば、
前記第１布設ケーブルは、前記第２ｋ−１番目の水上施設のケーブル布設方向の若番側の端部から前記第２ｋ番目の水上施設の前記ケーブル布設方向の老番側の端部に接続され、
前記第２布設ケーブルは、前記第２ｋ番目の水上施設の前記ケーブル布設方向の若番側の端部から前記第２ｋ＋１番目の水上施設の前記ケーブル布設方向の老番側の端部に接続される
第５の態様に記載の水底ケーブルの布設構造が提供される。
【発明の効果】
【００１４】
本発明によれば、早急に水底ケーブルを布設することができる水底ケーブルの布設方法および水底ケーブルの布設構造が提供される。
【図面の簡単な説明】
【００１５】
【図１】（ａ）は、本発明の一実施形態に係る水底ケーブルの布設構造を示す平面図であり、（ｂ）は、本発明の一実施形態に係る水底ケーブルの布設構造を示す側面図である。
【図２】本発明の一実施形態に係る水底ケーブルの布設工程のフローを示す図である。
【図３】マーキング工程を示す平面図である。
【図４】（ａ）は、第１布設工程および第２布設工程を示す平面図であり、（ｂ）は、（ａ）の側面図である。
【図５】（ａ）は、第１布設工程および第２布設工程におけるケーブルの布設状態を示す平面図であり、（ｂ）は、（ａ）の側面図である。
【図６】立ち上げ工程を示す側面図である。
【図７】変形例における第１布設工程および第２布設工程を示す平面図である。
【発明を実施するための形態】
【００１６】
＜本発明の一実施形態＞
以下に、本発明の一実施形態を図面に基づいて説明する。
【００１７】
（１）水底ケーブルの布設構造
まず、図１を用い、本発明の一実施形態に係る水底ケーブルの布設構造について説明する。図１（ａ）は、本発明の一実施形態に係る水底ケーブルの布設構造を示す平面図であり、図１（ｂ）は、本発明の一実施形態に係る水底ケーブルの布設構造を示す側面図である。
【００１８】
本実施形態の水底ケーブルの布設構造は、複数の水上施設（風力発電施設２００）のうち、ｋを１以上の整数としたときに、第２ｋ−１番目の水上施設および第２ｋ番目の水上施設の間の水底に、鉛直方向から見て第２ｋ−１番目の水上施設および第２ｋ番目の水上施設からケーブル布設方向に対して垂直な方向にずらした位置に布設される第１布設ケーブル１００ａと、第２ｋ番目の水上施設および第２ｋ＋１番目の水上施設の間の水底に布設され、第２ｋ番目の水上施設および第２ｋ＋１番目の水上施設の第１布設ケーブル１００ａと反対側にずらした位置に布設される第２布設ケーブル１００ｂと、を有する。以下、詳細を後述する。
【００１９】
本実施形態でいう水底に布設される「第１布設ケーブル１００ａ」および「第２布設ケーブル１００ｂ」等の「ケーブル１００」とは、電力ケーブル、光ファイバ複合電力ケーブル等のことである。ケーブル１００は、例えば、中心から導電芯線、内部半導電層、絶縁層および外部半導電層を備える３芯のケーブルと、３芯のケーブルを覆い鉄線等が複数組み合わせてなる鉄線鎧層と、鉄線鎧層の外側に設けられた外装と、を有する。
【００２０】
図１（ａ）に示されているように、例えば、複数の水上施設が直線状に配置されている。ここでいう「水上施設」とは、例えば風力発電施設（洋上風車）２００である。なお、複数の水上施設のうちいずれか１つ以上が変圧施設等であってもよい。以下では、ケーブル１００を布設する水上施設が全て風力発電施設２００であるとして説明する。
【００２１】
図１（ｂ）に示されているように、風力発電施設２００は、例えば、ブレード（プロペラ）２１０と、ブレード２１０を支持する軸部と、ブレード２１０から軸部を介して得られた回転力により発電する発電部と、軸部および発電部を格納するナセル２２０と、ナセル２２０を所定の高さで支持する支持部（タワー部）２３０と、水底から支持部２３０を支持する基礎部２４０と、を有する。
【００２２】
風力発電施設２００の外側には、Ｊチューブと呼ばれるケーブル保護管２６０が設けられる。ケーブル保護管２６０は、ケーブル１００が潮流によって風力発電施設２００に接触して損傷することを抑制し、また漂流物からケーブル１００を保護するよう構成される。ケーブル１００は、ケーブル保護管２６０を挿通して風力発電施設２００に接続される。
【００２３】
ケーブル１００は、複数の風力発電施設２００が配列する配列方向に沿って、隣接する風力発電施設２００のそれぞれに接続される。以下において、「ケーブル布設方向」とは、複数の風力発電施設２００が配列する配列方向に沿ってケーブル１００が布設される方向のことをいう。
【００２４】
ここで、図１（ａ）のカッコ内の数字は、風力発電施設２００の通し番号を示している。また、図１（ａ）には、例えば、第１番目から第５番目の風力発電施設２００が示されており、第５番目の風力発電施設２００の先にも複数の風力発電施設２００が設けられる。
【００２５】
図１（ａ）に示されているように、本実施形態では、複数のケーブル１００は、複数の風力発電施設２００に対して千鳥状に配置される。千鳥状に配置される複数のケーブル１００のうち、一方のケーブル１００を第１布設ケーブル１００ａとし、他方のケーブル１００を第２布設ケーブル１００ｂとする。
【００２６】
第１布設ケーブル１００ａは、ｋを１以上の整数としたときに、第２ｋ−１番目および第２ｋ番目の風力発電施設２００の間の水底に布設される。具体的には、第１布設ケーブル１００ａは、第１番目および第２番目、第３番目および第４番目の風力発電施設２００の間の水底に布設される。なお、第１布設ケーブル１００ａは、図示されていない第５番目以降の該当する２つの風力発電施設２００の間の水底にも布設される。
【００２７】
また、ケーブル保護管２６０は、例えば、風力発電施設２００のケーブル布設方向の若番側の端部と、ケーブル布設方向の老番側の端部と、に設けられる。第１布設ケーブル１００ａは、第２ｋ−１番目の風力発電施設２００のケーブル布設方向の若番側の端部から、第２ｋ番目の風力発電施設２００のケーブル布設方向の老番側の端部に接続される。なお、第１番目の風力発電施設２００において、ケーブル布設方向の若番側の端部とは、ケーブル布設方向の老番側と反対側の端部のことである。
【００２８】
また、第１布設ケーブル１００ａは、鉛直方向から見て第２ｋ−１番目および第２ｋ番目の風力発電施設２００からケーブル布設方向に対して垂直な方向にずらした位置に布設される。
【００２９】
一方で、第２布設ケーブル１００ｂは、第２ｋ番目および第２ｋ＋１番目の風力発電施設２００の間の水底に布設され、具体的には、第２番目および第３番目、第４番目および第５番目の風力発電施設２００の間の水底に布設される。なお、第２布設ケーブル１００ｂは、図示されていない第６番目以降の該当する２つの風力発電施設２００の間の水底にも布設される。
【００３０】
第２布設ケーブル１００ｂは、鉛直方向から見て、第１布設ケーブル１００ａに対して千鳥状に配置される。具体的には、第２布設ケーブル１００ｂは、第２ｋ番目の風力発電施設２００のケーブル布設方向の若番側の端部から第２ｋ＋１番目の風力発電施設２００のケーブル布設方向の老番側の端部に接続される。また、第２布設ケーブル１００ｂは、第２ｋ番目および第２ｋ＋１番目の風力発電施設２００の第１布設ケーブル１００ａと反対側にずらした位置に布設される。このように、第１布設ケーブル１００ａおよび第２布設ケーブル１００ｂは互いに交差することがないように布設される。
【００３１】
（具体的寸法）
隣接する風力発電施設２００間の距離は、例えば１００ｍ以上１０ｋｍ以下である。また、鉛直方向から見たときに、風力発電施設２００からケーブル１００がケーブル布設方向に延在する部分までの距離は、例えば５ｍ以上３０００ｍ以下である。ケーブル１００に適用される電圧は、例えば６ｋＶ以上４００ｋＶ以下である。ケーブル１００の直径は、３０ｍｍ以上３００ｍｍ以下である。
【００３２】
（２）水底ケーブルの布設方法
次に、図２〜図６を用い、本実施形態に係る水底ケーブルの布設方法について説明する。図２は、本実施形態に係る水底ケーブルの布設工程のフローを示す図である。図３は、マーキング工程を示す平面図である。図４（ａ）は、第１布設工程および第２布設工程を示す平面図であり、図４（ｂ）は、（ａ）の側面図である。図５（ａ）は、第１布設工程および第２布設工程におけるケーブルの布設状態を示す平面図であり、図５（ｂ）は、（ａ）の側面図である。図６は、立ち上げ工程を示す側面図である。
【００３３】
本実施形態の水底ケーブルの布設方法は、複数の水上施設（風力発電施設２００）のうち、ｋを１以上の整数としたときに、第２ｋ−１番目の水上施設および第２ｋ番目の水上施設の間の水底にケーブル布設方向の前後にケーブル１００の余長を付加しつつケーブル１００を布設し、第２ｋ番目の水上施設および第２ｋ＋１番目の水上施設の間にケーブル１００を布設することなく間隔をあけることを、ｋが１から所定数まで順次行う第１布設工程と、第１布設工程で間隔が開けられた第２ｋ番目の水上施設および第２ｋ＋１番目の水上施設の間の水底にケーブル布設方向の前後にケーブル１００の余長を付加しつつケーブル１００を布設することを、ｋが１から所定数まで順次行う第２布設工程と、を有する。以下、詳細を説明する。
【００３４】
なお、以下のケーブル１００を布設する工程の前に、風力発電施設２００には、予め基礎部２４０のみが設けられている。
【００３５】
（マーキング工程Ｓ１１０）
まず、図３に示されているように、作業船（不図示）により、隣接する風力発電施設２００に対してケーブル布設方向の前後に後述する余長（ｂ＋ｃ以上）が付加されるように、ケーブル１００を布設する始点および終点にマーキング３００を配置する（Ｓ１１０）。なお、図３中の点線は、ケーブル１００の布設位置を示している。ここでいう「ケーブル布設方向の前後」とは、ケーブル１００を布設する風力発電施設２００の若番側および老番側のことである。また、マーキング３００とは、水上に浮くブイ等である。
【００３６】
マーキング工程Ｓ１１０では、鉛直方向から見て第２ｋ−１番目および第２ｋ番目の風力発電施設２００からケーブル布設方向に対して垂直な方向にずらした位置にマーキング３００を配置し、第２ｋ番目および第２ｋ＋１番目の風力発電施設２００の第２ｋ−１番目および第２ｋ番目の風力発電施設２００に対して配置したマーキング３００と反対側に、マーキング３００を配置する。
【００３７】
（第１布設工程Ｓ１２０）
次に、図４（ｂ）に示されているように、布設船１０により水上からケーブル１００を繰り出しながら水底に向けてケーブル１００を布設（投下）していく。このとき、上記したマーキング３００を目印として、ケーブル１００を布設する。また、ケーブル１００の端部にプーリングアイ（不図示）等の接続部を設けた状態で、ケーブル１００を布設する。
【００３８】
図４（ａ）に示されているように、第２ｋ−１番目および第２ｋ番目の風力発電施設２００の間の水底に、ケーブル布設方向の前後にケーブル１００の余長を付加しつつ、ケーブル１００を布設する。このとき、ケーブル１００を、余長分を含めて風力発電施設２００の配列方向に沿って直線状に布設する。
【００３９】
また、図４（ａ）に示されているように、鉛直方向から見て第２ｋ−１番目および第２ｋ番目の風力発電施設２００からケーブル布設方向に対して垂直な方向にずらした位置にケーブル１００を布設する。このようにして、第１布設ケーブル１００ａとなるケーブル１００が水底に布設される。
【００４０】
ここで、図５（ａ）および図５（ｂ）を用い、ケーブル１００の余長について説明する。
【００４１】
図５（ａ）および図５（ｂ）に示されているように、隣接する風力発電施設２００の間の距離をａとし、水底からケーブル１００がケーブル保護管２６０を介して風力発電施設２００に接続される水上の部分までの高さをｂとし、鉛直方向から見たときの風力発電施設２００からケーブル１００がケーブル布設方向に延在する部分までの距離、すなわち風力発電施設２００からケーブル１００をケーブル布設方向に対して垂直な方向にずらした距離をｃとする。
【００４２】
第１布設工程Ｓ１２０において、第２ｋ−１番目および第２ｋ番目の風力発電施設２００の間の距離ａに、ケーブル布設方向の前後のそれぞれに付加されるケーブル１００の余長は、ｂ＋ｃ以上である。すなわち、第２ｋ−１番目および第２ｋ番目の風力発電施設２００に対して布設されるケーブル１００の長さは、合計でａ＋２ｂ＋２ｃ以上となる。なお、当該余長には、さらにケーブル１００の投下位置の誤差やケーブル１００の潮流による移動誤差等のマージンが加えられていることが好ましい。このように、余長が付加されてケーブル１００が布設されることにより、風力発電施設２００に対してケーブル布設方向に垂直な方向にずらした位置の水底に沈められたケーブル１００を、風力発電施設２００の所定の接続部分に接続することができる。
【００４３】
次に、第２ｋ番目および第２ｋ＋１番目の風力発電施設２００の間にケーブル１００を布設することなく間隔をあけるように、布設船１０を移動させる。
【００４４】
このように、第２ｋ−１番目および第２ｋ番目の風力発電施設２００の間の水底にケーブル１００を布設し、第２ｋ番目および第２ｋ＋１番目の風力発電施設２００の間に間隔をあけることを、ｋが１から所定数まで順次行う。
【００４５】
具体的には、例えば、第１番目および第２番目の風力発電施設２００の間にケーブル１００を布設し（Ｓ１２０−１）、間隔をあけて第３番目および第４番目の風力発電施設２００の間にケーブル１００を布設し（Ｓ１２０−２）、間隔をあけて第５番目以降の風力発電施設２００に対してケーブル１００を布設していく（Ｓ１２０−３）。
【００４６】
風力発電施設２００の数が奇数、すなわち２Ｎ−１（Ｎ≧２）であるとき、第２Ｎ−３番目および第２Ｎ−２番目の風力発電施設２００（ｋ＝Ｎ−１）の間にケーブル１００を布設することにより、第１布設工程Ｓ１２０を終了する。
【００４７】
一方、風力発電施設２００の数が偶数、すなわち２Ｎ（Ｎ≧２）であるとき、第２Ｎ−１番目および第２Ｎ番目の風力発電施設２００（ｋ＝Ｎ）の間にケーブル１００を布設することにより、第１布設工程Ｓ１２０を終了する（Ｓ１２０）。
【００４８】
（第２布設工程Ｓ１３０）
次に、図４（ａ）に示されているように、布設船を第２ｋ番目の風力発電施設２００まで引き返し、第１布設工程Ｓ１２０で間隔が開けられた第２ｋ番目および第２ｋ＋１番目の風力発電施設２００の間に、ケーブル布設方向の前後にケーブルの余長を付加しつつ、ケーブル１００を水底に布設する。
【００４９】
また、図４（ａ）に示されているように、第２ｋ番目および第２ｋ＋１番目の風力発電施設２００の第１布設工程Ｓ１２０で布設したケーブル１００と反対側にずらした位置にケーブル１００を布設する。これにより、第１布設工程Ｓ１２０で余長を付加して布設されたケーブル１００と、第２布設工程Ｓ１３０で余長を付加して布設されたケーブル１００とが交差することが抑制される。このようにして、第２布設ケーブル１００ｂとなるケーブル１００が水底に布設される。
【００５０】
なお、第２布設工程Ｓ１３０においても、第１布設工程Ｓ１２０と同様にして、第２ｋ番目および第２ｋ＋１番目の風力発電施設２００のケーブル布設方向の前後において、ｂ＋ｃ以上のケーブル１００の余長が付加される。
【００５１】
このように、第２ｋ番目および第２ｋ＋１番目の風力発電施設２００の間にケーブル１００を布設することを、ｋが１から所定数まで順次行う。
【００５２】
具体的には、例えば、第２番目および第３番目の風力発電施設２００の間にケーブル１００を布設し（Ｓ１３０−１）、間隔をあけて第４番目および第５番目の風力発電施設２００の間にケーブル１００を布設し（Ｓ１３０−２）、間隔をあけて第６番目以降の風力発電施設２００に対してケーブル１００を布設していく。
【００５３】
風力発電施設２００の数が奇数、すなわち２Ｎ−１（Ｎ≧２）であるとき、第２Ｎ−２番目および第２Ｎ−１番目の風力発電施設２００（ｋ＝Ｎ）の間にケーブル１００を布設することにより、第２布設工程Ｓ１３０を終了する。
【００５４】
一方、風力発電施設２００の数が偶数、すなわち２Ｎ（Ｎ≧２）であるとき、第２Ｎ−２番目および第２Ｎ−１番目の風力発電施設２００（ｋ＝Ｎ）の間にケーブル１００を布設することにより、第２布設工程Ｓ１３０を終了する（Ｓ１３０）。
【００５５】
（立ち上げ工程Ｓ１４０）
上記の第１布設工程Ｓ１２０および第２布設工程Ｓ１３０の後に、気象条件のよいときに、以下のようにして立ち上げ工程Ｓ１４０を行う。
【００５６】
図６に示されているように、風力発電施設２００の基礎部２４０の上に、ウインチ２８０を設置する。先端にシャックル（不図示）が取り付けられたワイヤ（符号不図示）をウインチ２８０からケーブル保護管２６０を介して水底に向けて下降させる。
【００５７】
次に、作業船２０を風力発電施設２００付近に停泊させ、ダイバー３０が潜水する。ダイバー３０は、水中において、シャックルをケーブル１００の先端に設けられたプーリングアイに接続する。次に、ウインチ２８０によってワイヤを牽引することにより、ケーブル１００の先端をケーブル保護管２６０を介して風力発電施設２００の基礎部２４０の上に引き上げる。次に、ケーブル１００を風力発電施設２００の所定の接続部分に接続する。
【００５８】
このとき、ケーブル１００を、ケーブル布設方向から戻るように湾曲させて基礎部２４０に接続する。これにより、隣接する風力発電施設２００間のケーブル１００に印加される張力が、直接的にケーブル１００と風力発電施設２００との接続部に印加されることを緩和することができる。
【００５９】
以上の工程を全ての風力発電施設２００に対して行い、全ての風力発電施設２００を、ケーブル１００を介して接続する。
【００６０】
これにより、図１に示されているように、ケーブル１００を、第２ｋ−１番目の風力発電施設２００のケーブル布設方向の若番側の端部から、第２ｋ番目の風力発電施設２００のケーブル布設方向の老番側の端部に接続することにより、第１布設ケーブル１００ａを形成する。また、ケーブル１００を、第２ｋ番目の風力発電施設２００のケーブル布設方向の若番側の端部から第２ｋ＋１番目の風力発電施設２００のケーブル布設方向の老番側の端部に接続することにより、第２布設ケーブル１００ｂを形成する（以上、Ｓ１４０）。
【００６１】
以上により、水底ケーブルの布設工程を終了する。
【００６２】
その後、基礎部２４０の上に、ブレード２１０が軸部を介して取り付けられたナセル２２０を支持した状態で、支持部２３０を立設する。これにより、風力発電施設２００の設置が完了する。
【００６３】
（３）本実施形態に係る効果
本実施形態やその変形例によれば、以下に示す１つ又は複数の効果を奏する。
【００６４】
（ａ）本実施形態によれば、第１布設工程Ｓ１２０では、第２ｋ−１番目および第２ｋ番目の風力発電施設２００の間の水底にケーブル布設方向の前後にケーブル１００の余長を付加しつつケーブル１００を布設し、第２ｋ番目の水上施設および第２ｋ＋１番目の風力発電施設２００の間にケーブル１００を布設することなく間隔をあけることを、ｋが１から所定数まで順次行う。第２布設工程Ｓ１３０では、第１布設工程Ｓ１２０で間隔が開けられた第２ｋ番目および第２ｋ＋１番目の風力発電施設２００の間の水底にケーブル布設方向の前後にケーブル１００の余長を付加しつつケーブル１００を布設することを、ｋが１から所定数まで順次行う。これにより、早急に水底にケーブル１００を布設することができる。
【００６５】
ここで、比較例として、鉛直方向から見て、複数の風力発電施設２００に対して、ケーブル１００を千鳥状ではなく１つずつ順次布設していく場合について考える。
【００６６】
比較例では、ｍを１以上の整数としたとき、まず、第ｍ番目および第ｍ＋１番目の風力発電施設の間の水底にケーブル布設方向の前後にケーブルの余長を付加しつつケーブルを布設する。ケーブルの余長は、水底から風力発電施設の所定の接続部に接続するために設けられる。次に、第ｍ番目および第ｍ＋１番目の風力発電施設のそれぞれにケーブルを接続する。次に、第ｍ＋１番目の風力発電施設の前後の余長分の距離だけ布設船を引き返す。次に、第ｍ＋１番目および第ｍ＋２番目の風力発電施設の間の水底にケーブル布設方向の前後にケーブル１００の余長を付加しつつケーブルを布設する。次に、第ｍ＋１番目および第ｍ＋２番目の風力発電施設のそれぞれにケーブルを接続する。以上の工程を風力発電施設間に間隔をあけることなく、順次ケーブルを布設し接続していく。
【００６７】
比較例では、各風力発電施設の前後の余長分の距離だけ布設船を引き返すことが必要となるため、ケーブルの布設工程全体として多くの時間が必要とされる。このため、複数の風力発電施設に対して複数のケーブルを１日で布設することが困難となる可能性がある。
【００６８】
これに対して、本実施形態によれば、ケーブル１００を余長分も含めて一方向に布設するだけなので、布設船を引き返す等の時間が要らず、短時間でケーブル１００を布設することができる。また、複数の風力発電施設に対して複数のケーブル１００を１日で容易に布設することができ、早期に布設船を帰還させることができる。以上のように、本実施形態によれば、早急に水底にケーブル１００を布設することができる。
【００６９】
（ｂ）本実施形態によれば、鉛直方向から見て、複数の風力発電施設２００に対して千鳥状にケーブル１００を布設する。具体的には、第１布設工程Ｓ１２０では、鉛直方向から見て第２ｋ−１番目および第２ｋ番目の風力発電施設２００からケーブル布設方向に対して垂直な方向にずらした位置にケーブル１００を布設する。また、第２布設工程Ｓ１３０では、第２ｋ番目および第２ｋ＋１番目の風力発電施設２００の第１布設工程Ｓ１２０で布設したケーブル１００と反対側にずらした位置にケーブル１００を布設する。これにより、第１布設工程Ｓ１２０で余長を付加して布設されたケーブル１００と、第２布設工程Ｓ１３０で余長を付加して布設されたケーブル１００とが交差することを抑制することができる。
【００７０】
（ｃ）本実施形態によれば、第１布設工程Ｓ１２０および第２布設工程Ｓ１３０において、風力発電施設２００のケーブル布設方向の前後に付加されるケーブル１００の余長は、水底からケーブル１００がケーブル保護管２６０を介して風力発電施設２００に接続される水上の部分までの高さｂと、鉛直方向から見たときの風力発電施設２００からケーブル１００がケーブル布設方向に延在する部分までの距離ｃと、の和（ｂ＋ｃ）以上である。これにより、風力発電施設２００に対してケーブル布設方向に垂直な方向にずらした位置の水底に沈められたケーブル１００を、風力発電施設２００の所定の接続部分に接続することができる。
【００７１】
＜本実施形態の変形例＞
次に、図７を用い、本実施形態の変形例について説明する。図７は、変形例における第１布設工程および第２布設工程を示す平面図である。
【００７２】
上述の実施形態では、第２布設工程において、第１布設工程で間隔が開けられた第２ｋ番目および第２ｋ＋１番目の風力発電施設２００の間の水底にケーブル１００を布設することを、ｋが１から所定数まで順次行う場合について説明したが、第２布設工程を第１布設工程におけるケーブル布設方向の逆方向に向けて行ってもよい。すなわち、第２布設工程では、第１布設工程で間隔が開けられた第２ｋ番目および第２ｋ＋１番目の風力発電施設の間の水底にケーブル布設方向の前後にケーブルの余長を付加しつつケーブルを布設することを、ｋが所定数から１まで順次行うようにしてもよい。
【００７３】
以下、本変形例では、上記した本実施形態と異なる要素についてのみ説明し、本実施形態で説明した要素と実質的に同一の要素には、その説明を省略する。
【００７４】
図７に示されているように、第１布設工程Ｓ１２０において、第２ｋ−１番目および第２ｋ番目の風力発電施設２００の間の水底にケーブル１００を布設し、第２ｋ番目および第２ｋ＋１番目の風力発電施設２００の間に間隔をあけることを、ｋが１から所定数まで順次行う。
【００７５】
風力発電施設２００の数が奇数、すなわち２Ｎ−１（Ｎ≧２）であるとき、第１布設工程Ｓ１２０において第２Ｎ−３番目および第２Ｎ−２番目の風力発電施設２００（ｋ＝Ｎ−１）の間にケーブル１００を布設した後に、第２布設工程Ｓ２３０を第１布設工程Ｓ１２０におけるケーブル布設方向の逆方向に向けて行う。第２布設工程Ｓ２３０において、第２Ｎ−１番目および第２Ｎ−２番目の風力発電施設２００（ｋ＝Ｎ）の間にケーブル１００を布設し（Ｓ２３０−１：不図示）、間隔をあけて第２Ｎ−３番目以降の風力発電施設２００に対して順次ケーブルを布設していく。
【００７６】
その後、図７に示されているように、第５番目および第４番目の風力発電施設２００の間にケーブル１００を布設し（Ｓ２３０−Ｎ−１）、間隔をあけて第３番目および第２番目の風力発電施設２００の間にケーブル１００を布設することにより（Ｓ２３０−Ｎ）、第２布設工程Ｓ２３０を終了する。
【００７７】
一方、風力発電施設２００の数が偶数、すなわち２Ｎ（Ｎ≧２）であるとき、第１布設工程Ｓ１２０において第２Ｎ−１番目および第２Ｎ番目の風力発電施設２００（ｋ＝Ｎ）の間にケーブル１００を布設した後に、第２布設工程Ｓ２３０を第１布設工程Ｓ１２０におけるケーブル布設方向の逆方向に向けて行う。第２布設工程Ｓ２３０において、第２Ｎ−１番目および第２Ｎ−２番目の風力発電施設２００（ｋ＝Ｎ）の間にケーブル１００を布設し（Ｓ２３０−１：不図示）、間隔をあけて第２Ｎ−３番目以降の風力発電施設２００に対して順次ケーブルを布設していく。
【００７８】
その後、風力発電施設２００の数が偶数の場合も、第３番目および第２番目の風力発電施設２００の間にケーブル１００を布設することにより（Ｓ２３０−Ｎ）、第２布設工程Ｓ２３０を終了する。
【００７９】
以上のように、変形例によれば、第２布設工程Ｓ２３０を第１布設工程Ｓ１２０におけるケーブル布設方向の逆方向に向けて行うことにより、第１布設工程後に第２布設工程を行うまでの間に布設船が引き返す距離を省くことができる。
【００８０】
＜本発明の他の実施形態＞
以上、本発明の実施形態について具体的に説明したが、本発明は上述の実施形態に限定されるものではなく、その要旨を逸脱しない範囲で種々変更可能である。
【００８１】
上述の実施形態では、風力発電施設２００が基礎部２４０により水底に固定される場合について説明したが、風力発電施設は浮遊式であってもよい。
【００８２】
また、上述の実施形態では、主に風力発電施設２００等の水上施設に対してケーブル１００を布設する工程について説明したが、第２布設工程と立ち上げ工程の間において、末端に位置する風力発電施設と陸上の送電施設との間にケーブルを布設する工程が行われてもよい。
【００８３】
また、上述の実施形態では、水底ケーブルの布設工程の前に、風力発電施設２００には予め基礎部２４０のみが設けられている場合について説明したが、風力発電施設には風車等を含めて全ての機器が設置されていてもよい。
【００８４】
また、上述の実施形態では、立ち上げ工程Ｓ１４０において、ケーブル１００を、ケーブル布設方向から戻るように湾曲させて基礎部２４０に接続する場合について説明したが、ケーブルを直線的に立ち上げて基礎部に接続してもよい。
【００８５】
また、上述の実施形態では、ケーブル１００を、第２ｋ−１番目の風力発電施設２００のケーブル布設方向の若番側の端部から、第２ｋ番目の風力発電施設２００のケーブル布設方向の老番側の端部に接続し、第２ｋ番目の風力発電施設２００のケーブル布設方向の若番側の端部から第２ｋ＋１番目の風力発電施設２００のケーブル布設方向の老番側の端部に接続する場合について説明したが、ケーブルを風力発電施設に接続する部分はどこであってもよい。ケーブルを風力発電施設のケーブル布設方向に垂直な方向の端部に接続してもよい。
【符号の説明】
【００８６】
１０  布設船
２０  作業船
３０  ダイバー
１００  ケーブル
１００ａ  第１布設ケーブル
１００ｂ  第２布設ケーブル
２００  風力発電施設
２１０  ブレード
２２０  ナセル
２３０  支持部（タワー部）
２４０  基礎部
２６０  ケーブル保護管
２８０  ウインチ
３００  マーキング
【図１】
2015133767.tif 000003
【図２】
2015133767.tif 000004
【図３】
2015133767.tif 000005
【図４】
2015133767.tif 000006
【図５】
2015133767.tif 000007
【図６】
2015133767.tif 000008
【図７】
2015133767.tif 000009